(57)【要約】【課題】ユーザが撮影に不慣れな場合や、初めて撮影する場所であっても、より好適な構図で写真撮影を行える。【解決手段】撮影装置がサーバから取得した参照指示画像に対応する撮影位置情報および自己の現在位置に基づいてユーザを当該参照指示画像の撮影位置に誘導し、撮影位置において、ユーザの撮影状態に基づいて、ユーザの撮影状態に対応する構図が参照指示画像の構図となるように教示する。【選択図】図６
2009239397.tif 000002
【特許請求の範囲】
【請求項１】
撮影装置であって、
前記撮影装置の現在位置を検出する現在位置検出部と、
前記現在位置から所定距離範囲内で撮影された参照画像、当該参照画像に対応する撮影位置情報及び撮影方向情報を含む撮影情報を通信ネットワークを介してサーバから取得する撮影情報取得部と、
前記サーバから取得した前記撮影情報に基づいて、前記参照画像のうち、撮影時に参照しようとする参照指示画像を指示させる参照画像指示部と、
前記参照画像指示部を介して指示された前記参照指示画像に対応する前記撮影位置情報および前記撮影装置の現在位置に基づいてユーザを当該参照指示画像の撮影位置に誘導する誘導部と、
ユーザの撮影状態を検出する撮影状態検出部と、
前記撮影状態検出部において検出された前記撮影状態に基づいて、前記ユーザの撮影状態に対応する構図が前記参照指示画像の構図となるように教示する撮影教示部と、
を備えたことを特徴とする撮影装置。
【請求項２】
請求項１記載の撮影装置において、
前記撮影教示部は、ファインダ内の実画像に前記参照指示画像を透過状態で重ね合わせて表示することを特徴とする撮影装置。
【請求項３】
請求項２記載の撮影装置において、
前記誘導部は、前記ファインダ内に前記誘導を行うための誘導情報を表示することを特徴とする撮影装置。
【請求項４】
請求項１ないし請求項３のいずれかに記載の撮影装置と、
前記参照画像、当該参照画像に対応する撮影位置情報及び撮影方向情報を含む撮影情報を評価情報に対応づけて記憶する撮影情報データベースを有し、前記通信ネットワークを介して前記撮影装置から当該撮影装置の現在位置が通知されると、通知された現在位置から所定距離範囲内で撮影された参照画像に対応する前記撮影情報を前記評価情報に基づいて選択し、選択した撮影情報を当該現在位置の通知を行った撮影装置に前記通信ネットワークを介して送信するサーバと、
を備えたことを特徴とする撮影システム。
【請求項５】
当該撮影装置の現在位置を検出する現在位置検出部と、通信ネットワークを介してサーバと通信を行うための通信部と、を備えた撮影装置を制御するための制御方法において
前記現在位置から所定距離範囲内で撮影された参照画像、当該参照画像に対応する撮影位置情報及び撮影方向情報を含む撮影情報を前記通信部および前記通信ネットワークを介して前記サーバから取得する撮影情報取得過程と、
前記サーバから取得した前記撮影情報に基づいて、前記参照画像のうち、撮影時に参照しようとする参照指示画像をユーザに指示させる参照画像指示過程と、
前記指示された前記参照指示画像に対応する前記撮影位置情報および前記撮影装置の現在位置に基づいてユーザを当該参照指示画像の撮影位置に誘導する誘導過程と、
ユーザの撮影状態を検出する撮影状態検出過程と、
検出された前記撮影状態に基づいて、前記ユーザの撮影状態に対応する構図が前記参照指示画像の構図となるように教示する撮影教示過程と、
を備えたことを特徴とする撮影装置の制御方法。
【請求項６】
当該撮影装置の現在位置を検出する現在位置検出部と、通信ネットワークを介してサーバと通信を行うための通信部と、を備えた撮影装置をコンピュータにより制御するための制御プログラムであって、前記コンピュータに、
前記現在位置から所定距離範囲内で撮影された参照画像、当該参照画像に対応する撮影位置情報及び撮影方向情報を含む撮影情報を前記通信部および前記通信ネットワークを介して前記サーバから取得させる機能と、
前記サーバから取得した前記撮影情報に基づいて、前記参照画像のうち、撮影時に参照しようとする参照指示画像をユーザに指示させる機能と、
前記指示された前記参照指示画像に対応する前記撮影位置情報および前記撮影装置の現在位置に基づいてユーザを当該参照指示画像の撮影位置に誘導させる機能と、
ユーザの撮影状態を検出させる機能と、
検出された前記撮影状態に基づいて、前記ユーザの撮影状態に対応する構図が前記参照指示画像の構図となるように教示させる機能と、
を実現させることを特徴とする制御プログラム。
【発明の詳細な説明】
【技術分野】
【０００１】
本発明は、撮影装置、撮影システム、撮影装置の制御方法および制御プログラムに係り、特に写真撮影時の構図をより好ましいものとすることが可能な撮影装置、撮影システム、撮影装置の制御方法および制御プログラムに関する。
【背景技術】
【０００２】
近年、撮影が容易なディジタルカメラの普及は目覚ましいものがあるが、写真撮影において重要な要件である構図については、写真撮影が得意なユーザでなければ、好ましいものとするのは困難であった。
例えば、名所旧跡を観光する場合、その風景をどのような構図で撮影すると、好ましい構図の写真が得られるのか、写真撮影の苦手なユーザには判断が難しいという問題点があった。
上記問題を解決するために、従来においては、以下のような提案がなされている。
特許文献１あるいは特許文献２においては、ＧＰＳ等の測位装置を利用して、特定の場所で正確に構図を再現して写真を撮影できるものが提案されている。
【特許文献１】特開平５−１５８８８７号公報
【特許文献２】特開２００４−８０３５９号公報
【発明の開示】
【発明が解決しようとする課題】
【０００３】
しかしながら、特許文献１及び特許文献２記載の技術においては、ユーザが過去に同じ場所で写真撮影したことがある場合を前提としており、一度も行ったことのない場所での写真撮影には適用できないという不具合があった。
したがって、特許文献１または特許文献２に記載の技術は、撮影者であるディジタルカメラのユーザが初めて訪れる場所の撮影には、適用することができないという問題点があった。
そこで、本発明の目的は、ユーザが撮影に不慣れな場合や、初めて撮影する場所であっても、より好適な構図で写真撮影を行うことが可能な撮影装置、撮影システム、撮影装置の制御方法及び制御プログラムを提供することにある。
【課題を解決するための手段】
【０００４】
上記課題を解決するため、本発明の第１の態様は、撮影装置であって、前記撮影装置の現在位置を検出する現在位置検出部と、前記現在位置から所定距離範囲内で撮影された参照画像、当該参照画像に対応する撮影位置情報及び撮影方向情報を含む撮影情報を通信ネットワークを介してサーバから取得する撮影情報取得部と、前記サーバから取得した前記撮影情報に基づいて、前記参照画像のうち、撮影時に参照しようとする参照指示画像をユーザに指示させる参照画像指示部と、前記参照画像指示部を介して指示された前記参照指示画像に対応する前記撮影位置情報および前記撮影装置の現在位置に基づいてユーザを当該参照指示画像の撮影位置に誘導する誘導部と、ユーザの撮影状態を検出する撮影状態検出部と、前記撮影状態検出部において検出された前記撮影状態に基づいて、前記ユーザの撮影状態に対応する構図が前記参照指示画像の構図となるように撮影方法を教示する撮影方法教示部と、を備えたことを特徴としている。
【０００５】
上記構成によれば、現在位置検出部は、撮影装置の現在位置を検出し、撮影情報取得部および誘導部に通知する。
撮影情報取得部は、現在位置検出部により検出された現在位置から所定距離範囲内で撮影された参照画像、当該参照画像に対応する撮影位置情報及び撮影方向情報を含む撮影情報を通信ネットワークを介して外部のサーバから取得する。
参照画像指示部は、サーバから取得した撮影情報に基づいて、参照画像のうち、撮影時に参照しようとする参照指示画像をユーザに指示させる。
誘導部は、参照画像指示部を介して指示された参照指示画像に対応する撮影位置情報および撮影装置の現在位置に基づいてユーザを当該参照指示画像の撮影位置に誘導する。
これらの結果、撮影方法教示部は、撮影状態検出部において検出された撮影状態に基づいて、ユーザの撮影状態に対応する構図が参照指示画像の構図となるように撮影方法を教示する。
したがって、より好ましいと思われる構図で誰でも容易に撮影を行うことができる。
【０００６】
本発明の第２の態様は、第１の態様において、前記撮影教示部は、ファインダ内の実画像に前記参照指示画像を透過状態で重ね合わせて表示することを特徴としている。
上記構成によれば、ユーザは、ファインダ内で、実画像を参照指示画像に重ね合わせるようにするだけで、より好ましいと思われる構図で容易に撮影を行うことができる。
【０００７】
本発明の第３の態様は、第２の態様において、前記誘導部は、前記ファインダ内に前記誘導を行うための誘導情報を表示することを特徴としている。
上記構成によれば、ファインダ内で所望の構図で撮影を行うための情報を得ることができ、確実に所望の撮影が行える。
【０００８】
本発明の第４の態様は、撮影システムであって、第１ないし第３の態様の撮影装置と、前記参照画像、当該参照画像に対応する撮影位置情報及び撮影方向情報を含む撮影情報を評価情報に対応づけて記憶する撮影情報データベースを有し、前記通信ネットワークを介して前記撮影装置から当該撮影装置の現在位置が通知されると、通知された現在位置から所定距離範囲内で撮影された参照画像に対応する前記撮影情報を前記評価情報に基づいて選択し、当該選択した撮影情報を当該現在位置の通知を行った撮影装置に前記通信ネットワークを介して送信するサーバと、を備えたことを特徴としている。
上記構成によれば、撮影装置は、通信ネットワークを介してサーバに対し、撮影情報を取得するに際して、現在位置を通知する。
これによりサーバは、撮影情報データベースを参照して、通知された現在位置から所定距離範囲内で撮影された参照画像を前記評価情報に基づいて選択し、当該選択した撮影情報を当該現在位置の通知を行った撮影装置に通信ネットワークを介して送信する。
したがって、撮影装置のユーザは、送信された撮影情報に基づいて撮影を行うことで、より好ましいと思われる構図で容易に撮影を行うことができる。
【０００９】
本発明の第５の態様は、当該撮影装置の現在位置を検出する現在位置検出部と、通信ネットワークを介してサーバと通信を行うための通信部と、を備えた撮影装置を制御するための制御方法において、前記現在位置から所定距離範囲内で撮影された参照画像、当該参照画像に対応する撮影位置情報及び撮影方向情報を含む撮影情報を前記通信部および前記通信ネットワークを介して前記サーバから取得する撮影情報取得過程と、前記サーバから取得した前記撮影情報に基づいて、前記参照画像のうち、撮影時に参照しようとする参照指示画像をユーザに指示させる参照画像指示過程と、前記指示された前記参照指示画像に対応する前記撮影位置情報および前記撮影装置の現在位置に基づいてユーザを当該参照指示画像の撮影位置に誘導する誘導過程と、ユーザの撮影状態を検出する撮影状態検出過程と、検出された前記撮影状態に基づいて、前記ユーザの撮影状態に対応する構図が前記参照指示画像の構図となるように撮影方法を教示する撮影方法教示過程と、を備えたことを特徴としている。
上記構成によれば、検出された撮影状態に基づいて、ユーザの撮影状態に対応する構図が参照指示画像の構図となるように撮影方法が教示されるので、より好ましいと思われる構図で誰でも容易に撮影を行うことができる。
【００１０】
本発明の第６の態様は、当該撮影装置の現在位置を検出する現在位置検出部と、通信ネットワークを介してサーバと通信を行うための通信部と、を備えた撮影装置をコンピュータにより制御するための制御プログラムであって、前記コンピュータに、前記現在位置から所定距離範囲内で撮影された参照画像、当該参照画像に対応する撮影位置情報及び撮影方向情報を含む撮影情報を前記通信部および前記通信ネットワークを介して前記サーバから取得させる機能と、前記サーバから取得した前記撮影情報に基づいて、前記参照画像のうち、撮影時に参照しようとする参照指示画像をユーザに指示させる機能と、前記指示された前記参照指示画像に対応する前記撮影位置情報および前記撮影装置の現在位置に基づいてユーザを当該参照指示画像の撮影位置に誘導させる機能と、ユーザの撮影状態を検出させる機能と、検出された前記撮影状態に基づいて、前記ユーザの撮影状態に対応する構図が前記参照指示画像の構図となるように撮影方法を教示させる機能と、を実現させることを特徴としている。
上記構成によれば、検出された撮影状態に基づいて、ユーザの撮影状態に対応する構図が参照指示画像の構図となるように撮影方法が教示されるので、より好ましいと思われる構図で誰でも容易に撮影を行うことができる。
【００１１】
本発明の第１の他の態様は、ユーザが構図を参照しようとする参照指示画像の撮影情報を通信ネットワークを介して外部のサーバから取得する撮影情報取得部と、ユーザの撮影状態を検出する撮影状態検出部と、前記撮影状態検出部において検出された前記撮影状態及び前記撮影情報に基づいて、前記ユーザの撮影状態に対応する構図が前記参照指示画像の構図となるように撮影方法を教示する撮影方法教示部と、を備えたことを特徴としている。
上記構成によれば、撮影情報取得部は、ユーザが構図を参照しようとする参照指示画像の撮影情報を通信ネットワークを介して外部のサーバから取得する。
撮影方法教示部は、撮影状態検出部において検出された撮影状態及び取得した撮影情報に基づいて、ユーザの撮影状態に対応する構図が参照指示画像の構図となるように撮影方法を教示する。
したがって、ユーザがより好ましいと思う構図で容易に撮影を行うことができる。
【００１２】
本発明の第２の他の態様は、第１の他の態様において、自己の現在位置を検出する現在位置検出部と、前記参照指示画像に対応する前記撮影位置情報および前記自己の現在位置に基づいてユーザを当該参照指示画像の撮影位置に誘導する誘導部と、を備えたことを特徴としている。
上記構成によれば、ユーザは、誘導部により参照指示画像の撮影位置に誘導されるので、確実に参照指示画像の構図で撮影を行える。
【発明を実施するための最良の形態】
【００１３】
次に本発明の好適な実施の形態について図面を参照して説明する。
［１］第１実施形態
図１は、実施形態の撮影システムの概要構成図である。
撮影システム１０は、自己位置を測位する自己位置測位機能と、通信ネットワーク１１を介して通信を行う通信機能を有し、ユーザが撮影を行うためのディジタルカメラ１２と、通信ネットワーク１１に接続され、ネットワーク端末として機能するパーソナルコンピュータ１３、ＰＤＡ１４、携帯電話１５と、写真投稿サイトとしてウェブページが構築され、撮影情報を提供するためのサーバ１６と、を備えている。ＧＰＳ衛星１７は、ディジタルカメラ１２に対し、測位用電波を送信している。
【００１４】
図２は、ディジタルカメラの概要構成ブロック図である。
ディジタルカメラ１２は、ＧＰＳ衛星１７から測位用電波を受信するＧＰＳ受信部２１と、当該ディジタルカメラ１２の撮影方向を特定するための撮影方位を検出する方位センサ２２と、当該ディジタルカメラの撮影方向を特定するための仰角を検出する仰角センサ２３と、撮影時刻などの時刻情報を生成する計時部２４と、通信ネットワーク１１を介して通信を行う通信部２５と、撮影データを格納する（内部）記録メディア２６と、撮影データが格納される外部記録メディアとの間のインタフェース動作を行う外部記録メディアインタフェース（Ｉ／Ｆ）２７と、記録メディア２６あるいは外部記録メディアＩ／Ｆ２７を介して外部記録メディアに撮影データを記録する記録部２８と、ファインダとして機能するとともに、各種情報を表示する表示部２９と、光学レンズを含む光学系および撮像素子を有し、撮像を行って撮影データを生成する撮像部３０と、レリーズスイッチを含み、ユーザが撮影操作および通信操作などの各種操作を行う操作部３１と、作業用データを一時的に格納するＲＡＭなどで構成された作業用メモリ３２と、画像処理を含む各種処理を行うとともに、ディジタルカメラ１２全体を制御するためのプロセッサ３３と、を備えている。
サーバ１６は、投稿写真を閲覧可能に記憶するための投稿写真データベースを備えている。
【００１５】
図３は、サーバにおける投稿写真データベースを構成する投稿写真データのデータフォーマットである。
投稿写真データ４０は、大別すると、撮影位置を表す撮影位置データ４１と、撮影条件などを表す撮影情報データ４２と、実際の画像のデータである写真データ４３と、当該投稿写真の評価値を格納した評価値データ４４と、を備えている。
撮影位置データ４１は、緯度座標データ、経度座標データおよび標高データを含んでいる。
撮影情報データ４２は、撮影方向を表す撮影方向データ４２Ａおよび仰角を表す仰角データ４２Ｂの他、画像サイズ、シャッタースピード、ＩＳＯ感度、ズーム倍率、機種名などの情報を表すデータを含んでいる。
写真データ４３は、画像データの他、容量データなどを含んでいる。
評価値データ４４は、後に詳述する評価値を表すデータを記憶している。
【００１６】
ここで、サーバ１６における写真投稿について説明する。
まず、写真の投稿方法について説明する。
写真を投稿する場合には、まず、ネットワーク通信機能を有するデバイス、上述の例の場合、ディジタルカメラ１２、パーソナルコンピュータ１３、ＰＤＡ１４あるいは携帯電話１５により、通信ネットワーク１１を介して、サーバ１６上の所定のウェブページにアクセスする。
次に写真投稿用の所定のユーザインタフェースを利用して、写真ファイルをサーバ１６にアップロードする。
【００１７】
この場合において、アップロードした写真ファイルに撮影位置情報が含まれていない場合（例えば、ＧＰＳ機能を持たないカメラで撮影された写真ファイルなど）には、投稿者により手動で撮影位置情報を写真ファイルに付加したり、地図情報提供サイトが提供するサービスを利用して撮影位置情報を写真ファイルに付加したりしてもよい。地図情報提供サイトを利用する場合には、投稿者は簡単かつ直感的に位置情報の入力操作を行うことができる。
【００１８】
次に写真の評価方法について説明する。
写真の評価値は、数値によって定義され、上述した評価値データ４４として投稿写真データベースに記録されるが、評価値がとりうる数値の区間は任意である（例えば、０〜１００、−５〜５など）。
この評価値は、写真ファイルに対応する写真に設定された、ユーザ評価値の平均値となっている。ここで、ユーザ評価値とは、各ユーザが個々の写真をみた際の感覚に基づいて、適宜に設定するものであり、設定可能な値の範囲は、評価値と同一である。
【００１９】
また、ユーザ評価値の入力方法としては、ユーザが数値を直接入力してもよいし（例えば、５点中、４．５点など）、任意の記号（例えば、★）である評価値を表すアイコン画像の個数を増減させることによって、間接的に評価値の入力を行ってもよい。例えば、評価値の区間が０以上、５以下の場合、ユーザは、「★」を０個から５個の間で指定することができ、指定されたアイコン画像の個数に等しい整数が評価値として入力される。
なお、この場合において、写真投稿サイトのユーザは、一つの写真（写真ファイル）に対して、一つだけのユーザ評価値を設定することができる。これにより、特定の写真に何度も高いユーザ評価値を与えて、評価値を不正に高めることを防止するためである。ただし、一度設定したユーザ評価値を後から変更するように構成することは可能である。
また、ユーザ評価値の設定画面は、一覧画面内に同時に表示してもよいし、別途、評価値設定用の専用画面を表示するようにしてもよい。
【００２０】
続いて、写真投稿サイトにおける写真の閲覧方法について説明する。
写真投稿サイトにおいて、投稿された写真をユーザが閲覧、評価しやすいように、写真投稿サイトを提供するサーバ１６は、以下のような複数の一覧方法を提供する。
（１）  写真の投稿日時順に一覧表示する。
これは、例えば、最近投稿された写真から閲覧するのを容易とするためである。
（２）  写真の投稿者別に一覧表示する。
これは、例えば、お気に入りの投稿者の写真から閲覧するためである。
（３）  写真の評価値順に一覧表示する。
これは、例えば、評価の高い順に写真を閲覧するためである。
（４）  写真の撮影場所から表示する。
これは、例えば、自宅の近くの写真を閲覧するためである。
（５）  地図上に投稿写真のサムネイル画像をオーバーレイ表示する。
これは、例えば、地理的に直感的に写真を検索、閲覧するためである。
（６）  ランダムに表示する。
これは、閲覧者の予測していない意外な写真を閲覧するためである。
【００２１】
次に第１実施形態の動作について説明する。
図４は、撮影システムの処理シーケンスフローチャートである。
ユーザが、ディジタルカメラ１２の操作部３１を介して構図提示機能を呼び出すと（ステップＳ１）、ディジタルカメラ１２のプロセッサ３３は、通信部２５を介して通信ネットワーク１１にアクセスし（ステップＳ２）、写真投稿サイトとしてのサーバ１６に接続する。
続いてディジタルカメラ１２は、ＧＰＳから現在位置情報を取得し（ステップＳ３）、参照すべき写真を転送するように参照情報要求をサーバ１６へ送信する（ステップＳ４）。
写真投稿サイトとして機能するサーバ１６は、ディジタルカメラ１２から送信されてきた現在位置情報を受信し、投稿写真ＤＢの中から、受信した現在位置情報に対応する現在位置の近辺で撮影された投稿写真を検索する（ステップＳ５）。
【００２２】
この場合において、撮影場所のみならず、投稿日時、投稿者、評価値、撮影日時、ディジタルカメラの機種などの情報からより詳細な検索を行うようにしてもよい。
さらにユーザにおいて、所望の条件を検索条件として予め設定し、当該所望する条件に一致する投稿写真のみを検索対象とすることも可能である。
ディジタルカメラ１２の現在位置の近辺で撮影された投稿写真が存在した場合、その中から最も評価値の高い投稿写真とその構図情報（撮影位置情報、方位情報、仰角情報）を撮影情報として抽出し、ディジタルカメラ１２に送信し、ディジタルカメラ１２の現在位置の近辺で撮影された投稿写真が存在しなかった場合は、その旨を示すメッセージをディジタルカメラ１２に送信する（ステップＳ６）。
【００２３】
図５は、誘導情報表示例の説明図である。
これにより、ディジタルカメラ１２は、写真投稿サイトから送信されてきた写真（以下、「参照写真」と呼ぶ）を表示部２９に表示する。ここで、参照写真は、参照画像に相当し、参照画像中で実際にユーザが参照する参照写真が参照指示画像に相当する。
さらに、受信した構図情報と現在位置情報（ＧＰＳ受信部２１、方位センサ２２および仰角センサ２３から得られる情報）をもとに、ユーザを参照写真の撮影位置に誘導するための誘導情報として、撮影場所までの移動距離、移動方向、高低差などの誘導情報を生成し（ステップＳ７）、図５に示すように、表示部２９に表示する。図５は、移動距離＝２３．１ｍ、移動方向＝左前方（西方向）、高低差＝０．５ｍの場合である。なお、いわゆる経路ナビゲーション機能を有する場合であれば、地図上に撮影場所までの経路および現在位置を表示して誘導情報として表示部２９に表示するように構成することも可能である。
【００２４】
この状態において、ディジタルカメラ１２のプロセッサ３３は、表示部２９に現在表示している参照写真の構図を採用するか否かを問い合わせる表示を行い、ユーザの操作部３１の操作状態に応じて、ユーザが当該参照写真を参照すべく採用するか否かを判別する（ステップＳ８）。
ステップＳ８の判別において、参照写真の構図が気に入らなかった場合や、移動距離や移動方向が気に入らなかった場合などのように参照写真の構図を採用しない旨の操作がなされた場合には（ステップＳ８；Ｎｏ）、処理を再びステップＳ４に移行することにより、以下、同様の手順により、ユーザは写真投稿サイトから他の投稿写真を取得することができる。
一方、現在表示されている参照写真の構図を採用する旨の操作がなされた場合には（ステップＳ８；Ｙｅｓ）、プロセッサ３３は、ユーザを撮影位置へ誘導する誘導処理を行う（ステップＳ９）。
そして、プロセッサ３３は、ユーザが撮影位置に到達したか否かを判別し（ステップＳ１０）、ユーザが撮影位置に到達するまで、誘導処理を継続する。
【００２５】
図６は、誘導中の表示画面の説明図である。
これにより、ディジタルカメラ１２のプロセッサ３３は、図６（ａ）に示すように、誘導情報を随時更新しつつ表示部２９に表示し、ユーザを参照写真の撮影位置へ誘導する。図６（ａ）は、参照写真の撮影位置まで、右前方へ１５０ｍ、高低差０ｍの場合の表示である。さらに、誘導情報を音声で出力するようにすることも可能である。
そして、ユーザが誘導情報に従って、提示された撮影位置に到達すると（ステップＳ１０；Ｙｅｓ）、撮影教示を行う（ステップＳ１１）。
具体的には、図６（ｂ）に示すように、ディジタルカメラ１２の実際の画像と、参照写真の透過画像（スルー画像：図中、波線で示す。）と、の合成画像を撮影教示のためにファインダとしての表示部２９へ表示する。
【００２６】
ところで、同じ撮影位置、方位、仰角であっても、カメラのレンズ性能やズーム状態によって画角が異なるため、提示された構図とは多少異なる可能性があるが、このような場合には、例えば、図６（ｃ）に示すように、表示部２９に表示されている参照写真の透過画像（スルー画像）とディジタルカメラ１２の画像との差分が最小になるように、ユーザが最終的な微調整を行うようにすればよい。
その後、ユーザがレリーズスイッチを押すなどの撮影操作を行うことにより、撮影処理がなされ（ステップＳ１２）、撮影された画像は、記録部２８により記録メディア２６あるいは外部記録メディアＩ／Ｆ２７を介して外部記録メディアに記録されることとなる。
【００２７】
［２］第２実施形態
上記第１実施形態では、ユーザが主体的に機能を呼び出すことで、好ましい構図の写真を撮影する例を示したが、ディジタルカメラ１２を常時、サーバ１６にアクセス可能な状況とし、適宜のタイミング毎に現在位置情報をサーバ１６に送信する構成としておき、サーバは、新たな参照写真が抽出された場合には、当該参照写真と撮影情報（構図情報）をディジタルカメラ１２に送信するようにしてもよい。
この場合には、ディジタルカメラ１２は、参照写真と撮影情報（構図情報）を受信した段階でユーザに告知し、ユーザに当該構図を採用するか否かを問い合わせ、採用する場合には、第１実施形態と同様の動作を行うようにすればよい。
本第２実施形態によれば、ユーザが移動している際などに、撮影スポットが近くにあることをユーザに通知したり、ユーザが撮影スポットを見落とすことを防いだりすることができる。
【００２８】
［３］実施形態の効果
上記各実施形態によれば、写真撮影が苦手なユーザであっても、好ましい構図で写真を撮ることができる。
また、写真撮影が得意なユーザにとっても、自分では気付かなかった好ましい構図を知ることができたり、撮影スポットの見落としを防いだりすることができる。
【００２９】
［４］実施形態の変形例
以上の説明においては、サーバ１６が写真投稿サイトの場合であったが、有料でプロが撮影した写真をサーバに蓄積し、参照するように構成することも可能である。
以上の説明においては、参照写真の透過画像をディジタルカメラの画像に合成する場合について説明したが、ディジタルカメラの画像の透過画像を参照写真と合成して撮影教示を行うようにすることも可能である。
以上の説明においては、撮影装置を制御するための制御プログラムが予めＲＯＭに記憶されている場合について説明したが、各種磁気ディスク、光ディスク、メモリカードなどの記録媒体に制御用プログラムを予め記録し、これらの記録媒体から読み込み、インストールするように構成することも可能である。また、通信インタフェースを設け、インターネット、ＬＡＮなどのネットワークを介して制御用プログラムをダウンロードし、インストールして実行するように構成することも可能である。このように構成することにより、ソフトウェア的により高機能としたり、より信頼性の高い撮影装置を提供したりすることが可能である。
【図面の簡単な説明】
【００３０】
【図１】実施形態の撮影システムの概要構成図である。
【図２】ディジタルカメラの概要構成ブロック図である。
【図３】サーバにおける投稿写真データベースを構成する投稿写真データのデータフォーマットである。
【図４】撮影システムの処理シーケンスフローチャートである。
【図５】誘導情報表示例の説明図である。
【図６】誘導中の表示画面の説明図である。
【符号の説明】
【００３１】
１０…撮影システム、１１…通信ネットワーク、１２…ディジタルカメラ、１３…パーソナルコンピュータ、１４…ＰＤＡ、１５…携帯電話、１６…サーバ、１７…ＧＰＳ衛星、２１…ＧＰＳ受信部、２２…方位センサ、２３…仰角センサ、２４…計時部、２５…通信部、２６…記録メディア、２７…外部記録メディアＩ／Ｆ、２８…記録部、２９…表示部、３０…撮像部、３１…操作部、３２…作業用メモリ、３３…プロセッサ、４０…投稿写真データ、４１…撮影位置データ、４２…撮影情報データ、４２Ａ…撮影方向データ、４２Ｂ…仰角データ、４３…写真データ、４４…評価値データ。
【図１】
2009239397.tif 000003
【図２】
2009239397.tif 000004
【図３】
2009239397.tif 000005
【図４】
2009239397.tif 000006
【図５】
2009239397.tif 000007
【図６】
2009239397.tif 000008